(57)【要約】【課題】車両の乗員の頭痛を緩和させることができる車載制御装置を提供する。【解決手段】車載制御装置は、所定操作を受け付ける受付部２と、該受付部が前記所定操作を受け付けた場合、車両Ｃに設けられた発光体の明るさを低減させる減光制御部と、受付部２が前記所定操作を受け付けた場合、車両Ｃに設けられた音響機器の音量を低減させる音量制御部とを備える。【選択図】図１
2016057200.tif 000002
【特許請求の範囲】
【請求項１】
所定操作を受け付ける受付部と、
該受付部が前記所定操作を受け付けた場合、車両に設けられた発光体の明るさを低減させる減光制御部と、
前記受付部が前記所定操作を受け付けた場合、前記車両に設けられた音響機器の音量を低減させる音量制御部と
を備える車載制御装置。
【請求項２】
前記受付部は、
前記所定操作を受け付けるスイッチ又はマイクを備える
請求項１に記載の車載制御装置。
【請求項３】
車両の乗員を撮像する撮像部と、
該撮像部により撮像された前記乗員の画像に基づいて、該乗員における頭痛の発症又は予兆を検知する頭痛検知部と、
該頭痛検知部が頭痛の発症又は予兆を検知した場合、前記車両に設けられた発光体の明るさを低減させる減光制御部と、
前記頭痛検知部が頭痛の発症又は予兆を検知した場合、前記車両に設けられた音響機器の音量を低減させる音量制御部と
を備える車載制御装置。
【請求項４】
前記発光体は自発光型の表示パネルを含み、
前記減光制御部は前記表示パネルの明るさを低減させる
請求項１〜請求項３までのいずれか一つに記載の車載制御装置。
【請求項５】
前記発光体は車内灯を含み、
前記減光制御部は前記車内灯の明るさを低減させる
請求項１〜請求項４のいずれか一つに記載の車載制御装置。
【請求項６】
前記受付部が前記所定操作を受け付けた場合、又は前記頭痛検知部が頭痛の発症又は予兆を検知した場合、前記車両に設けられたオートサンバイザによる遮光率を上昇させるサンバイザ制御部を備える
請求項１〜請求項５までのいずれか一つに記載の車載制御装置。
【請求項７】
前記受付部が前記所定操作を受け付けた場合、又は前記頭痛検知部が頭痛の発症又は予兆を検知した場合、前記車両に設けられたパワーウィンドを閉状態に制御するウィンド制御部を備える
請求項１〜請求項６までのいずれか一つに記載の車載制御装置。
【請求項８】
前記受付部が前記所定操作を受け付けた場合、又は前記頭痛検知部が頭痛の発症又は予兆を検知した場合、前記車両を停車させることができる停車場所の位置を示した位置情報を外部から取得する取得部を備える
請求項１〜請求項７までのいずれか一つに記載の車載制御装置。
【発明の詳細な説明】
【技術分野】
【０００１】
本発明は、車両の乗員の頭痛を緩和させ又は予防することができる車載制御装置に関する。
【背景技術】
【０００２】
特許文献１には、車両の乗員が患っている病気に気象変動が与える影響を考慮して、目的地へ至る車両の走行経路を案内するナビゲーション装置がある（例えば、特許文献１）。該ナビゲーション装置は、気象計測装置から気象情報を取得し、車両が存在する位置の気象変化が乗員の頭痛、例えば偏頭痛を誘発するような変化である場合、現在地に長時間居ると偏頭痛を発症するおそれがある旨を乗員に警告することもできる。例えば、車両が存在する位置の気温が上昇し、湿度も高くなることが予測される場合、低気圧が通過する可能性があるため、偏頭痛の発症を警告する。偏頭痛と、気圧は相関関係があると言われている。
【先行技術文献】
【特許文献】
【０００３】
【特許文献１】特開２０１３−５３８７９号公報
【発明の概要】
【発明が解決しようとする課題】
【０００４】
しかしながら、従来技術においては、車両の乗員に偏頭痛が発症した場合に対処することができないという問題があった。偏頭痛を発症した乗員は運転に集中することができず、交通事故を起こす可能性がある。
【０００５】
そこで、本願発明は、車両の乗員の頭痛を緩和させ又は予防することができる車載制御装置を提供することを目的とする。
【課題を解決するための手段】
【０００６】
本発明の一態様に係る車載制御装置は、所定操作を受け付ける受付部と、該受付部が前記所定操作を受け付けた場合、車両に設けられた発光体の明るさを低減させる減光制御部と、前記受付部が前記所定操作を受け付けた場合、前記車両に設けられた音響機器の音量を低減させる音量制御部とを備える。
【０００７】
本発明の一態様に係る車載制御装置は、車両の乗員を撮像する撮像部と、該撮像部により撮像された前記乗員の画像に基づいて、該乗員における頭痛の発症又は予兆を検知する頭痛検知部と、該頭痛検知部が頭痛の発症又は予兆を検知した場合、前記車両に設けられた発光体の明るさを低減させる減光制御部と、前記頭痛検知部が頭痛の発症又は予兆を検知した場合、前記車両に設けられた音響機器の音量を低減させる音量制御部とを備える。
【０００８】
なお、本願は、このような特徴的な処理部を備える車載制御装置として実現することができるだけでなく、かかる特徴的な処理をステップとする車載制御方法として実現したり、かかるステップをコンピュータに実行させるためのプログラムとして実現したりすることができる。また、車載制御装置の一部又は全部を実現する半導体集積回路として実現したり、車載制御装置を含むその他のシステムとして実現したりすることができる。
【発明の効果】
【０００９】
上記によれば、車両の乗員の頭痛を緩和させ又は予防することができる車載制御装置を提供することが可能となる。
【図面の簡単な説明】
【００１０】
【図１】本実施形態に係る偏頭痛緩和システムの一構成例を示す模式図である。
【図２】本実施形態に係る車載制御装置の一構成例を示すブロック図である。
【図３】偏頭痛の緩和に係る処理手順を示すフローチャートである。
【図４】偏頭痛検知に係る処理手順を示すフローチャートである。
【図５】停車位置の案内に係る処理手順を示すフローチャートである。
【発明を実施するための形態】
【００１１】
［本発明の実施形態の説明］
最初に本発明の実施態様を列記して説明する。また、以下に記載する実施形態の少なくとも一部を任意に組み合わせてもよい。
【００１２】
（１）本発明の一態様に係る車載制御装置は、所定操作を受け付ける受付部と、該受付部が前記所定操作を受け付けた場合、車両に設けられた発光体の明るさを低減させる減光制御部と、前記受付部が前記所定操作を受け付けた場合、前記車両に設けられた音響機器の音量を低減させる音量制御部とを備える。
【００１３】
本願にあっては、受付部が所定操作を受け付けた場合、光源制御部は、車両に設けられた発光体の明るさを低減させる。従って、乗員が目に受ける光による刺激を低減させることができる。また音量制御部は、車両に設けられた音響機器の音量を低減させる。従って、乗員が受ける音による刺激を低減させることができる。
頭痛を発症した乗員が受ける光及び音の刺激を低減させることにより、頭痛を緩和させることが可能である。また、頭痛の予兆がある乗員が受ける光及び音の刺激を低減させることにより、頭痛を予防することが可能である。
なお、受付部が所定操作を受け付ける方法は特に限定されるものでは無い。例えば、受付部は、乗員の手によるボタン、スイッチ、タッチパネル等の手動操作、音声認識又は画像認識による操作、その他の方法で所定操作を受け付けるように構成することができる。
【００１４】
（２）前記受付部は、前記所定操作を受け付けるスイッチ又はマイクを備える構成が好ましい。
【００１５】
本願にあっては、受付部は、乗員によるスイッチの操作により前記所定操作を受け付けることができる。また、受付部は、乗員による偏頭痛の発症をマイクによって受け付けることができる。
【００１６】
（３）本発明の一態様に係る車載制御装置は、車両の乗員を撮像する撮像部と、該撮像部により撮像された前記乗員の画像に基づいて、該乗員における頭痛の発症又は予兆を検知する頭痛検知部と、該頭痛検知部が頭痛の発症又は予兆を検知した場合、前記車両に設けられた発光体の明るさを低減させる減光制御部と、前記頭痛検知部が頭痛の発症又は予兆を検知した場合、前記車両に設けられた音響機器の音量を低減させる音量制御部とを備える。
【００１７】
本願にあっては、偏頭痛検知部は、撮像部により撮像された乗員の画像に基づいて、乗員における偏頭痛の発症を検出する。偏頭痛の発症を検出した場合、上述した態様（１）と同様、光源制御部は、車両に設けられた発光体の明るさを低減させ、音量制御部は、車両に設けられた音響機器の音量を低減させる。従って、乗員が目に受ける光による刺激を低減させることができる。また乗員が受ける音による刺激を低減させることができる。
頭痛を発症した乗員が受ける光及び音の刺激を低減させることにより、頭痛を緩和させることが可能である。また、頭痛の予兆がある乗員が受ける光及び音の刺激を低減させることにより、頭痛を予防することが可能である。
【００１８】
（４）前記発光体は自発光型の表示パネルを含み、前記減光制御部は前記表示パネルの明るさを低減させる構成が好ましい。
【００１９】
本願にあっては、受付部が前記所定操作を受け付けた場合、又は前記頭痛検知部が頭痛の発症又は予兆を検知した場合、光源制御部は車内灯の明るさを低減させることにより、乗員が受ける車内灯の光による刺激を低減させることができる。車内灯からの光の刺激を低減させることにより、頭痛を緩和させることが可能である。
【００２０】
（５）前記発光体は車内灯を含み、前記減光制御部は前記車内灯の明るさを低減させる構成が好ましい。
【００２１】
本願にあっては、受付部が前記所定操作を受け付けた場合、又は前記頭痛検知部が頭痛の発症又は予兆を検知した場合、光源制御部は表示パネルの明るさを低減させることにより、乗員が受ける表示パネルからの光による刺激を低減させることができる。従って、表示パネルからの光の刺激を低減させることにより、頭痛を緩和させることが可能である。
【００２２】
（６）前記受付部が前記所定操作を受け付けた場合、又は前記頭痛検知部が頭痛の発症又は予兆を検知した場合、前記車両に設けられたオートサンバイザによる遮光率を上昇させるサンバイザ制御部を備える構成が好ましい。
【００２３】
本願にあっては、受付部が前記所定操作を受け付けた場合、又は前記頭痛検知部が頭痛の発症又は予兆を検知した場合、サンバイザ制御部は、オートサンバイザの遮光率を上昇させることにより、乗員が受ける太陽光等の外光による刺激を低減させることができる。外光の刺激を低減させることにより、頭痛を緩和させることが可能である。
【００２４】
（７）前記受付部が前記所定操作を受け付けた場合、又は前記頭痛検知部が頭痛の発症又は予兆を検知した場合、前記車両に設けられたパワーウィンドを閉状態に制御するウィンド制御部を備える構成が好ましい。
【００２５】
本願にあっては、受付部が前記所定操作を受け付けた場合、又は前記頭痛検知部が頭痛の発症又は予兆を検知した場合、ウィンド制御部は、パワーウィンドを開状態にすることにより、乗員が受ける車外音による刺激を低減させることができる。頭痛を発症した乗員が受ける車外音の刺激を低減させることにより、頭痛を緩和させることが可能である。
【００２６】
（８）前記受付部が前記所定操作を受け付けた場合、又は前記頭痛検知部が頭痛の発症又は予兆を検知した場合、前記車両を停車させることができる停車場所の位置を示した位置情報を外部から取得する取得部を備える構成が好ましい。
【００２７】
本願にあっては、受付部が前記所定操作を受け付けた場合、又は前記頭痛検知部が頭痛の発症又は予兆を検知した場合、取得部は車両を停車させることができる停車場所を示した位置情報を外部から取得する。車載制御装置は、停車場所を示した位置情報を乗員に提供することが可能になる。乗員は車両を一時停車させて休息を取ることができる。
【００２８】
［本発明の実施形態の詳細］
本発明の実施形態に係る偏頭痛の緩和又は予防に係る車載システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。以下、前記車載システムを偏頭痛緩和システムと呼ぶ。
【００２９】
図１は本実施形態に係る偏頭痛緩和システムの一構成例を示す模式図である。本実施形態に係る偏頭痛緩和システムは、偏頭痛の症状を悪化させ又は誘発する可能性がある各種車載機器の動作を制御することにより、乗員の偏頭痛を緩和させ又は予防する車載制御装置１を備える。
【００３０】
図２は本実施形態に係る車載制御装置１の一構成例を示すブロック図である。
車載制御装置１は、図２に示すように該車載制御装置１の各構成部の動作を制御する制御部１１を備える。制御部１１は、例えば一又は複数のＣＰＵ（Central Processing Unit）、マルチコアＣＰＵ等を有する。制御部１１には、バスを介して一時記憶部１２、記憶部１３、入力部１４及び通信部１５が接続されている。制御部１１は、記憶部１３に記憶されている後述の制御プログラムを一時記憶部１２に読み出し、各構成部の動作を制御する。
【００３１】
一時記憶部１２は、ＳＲＡＭ（Static RAM）、ＤＲＡＭ（Dynamic RAM）等の揮発性メモリである。一時記憶部１２は、制御部１１の演算処理を実行する際に記憶部１３から読み出された制御プログラム、演算処理によって生ずる各種データを一時記憶する。揮発性メモリは一時記憶部１２の一例であり、不揮発性メモリで一時記憶部１２を構成しても良い。
【００３２】
記憶部１３は、ＥＥＰＲＯＭ（Electrically Erasable Programmable ROM）、フラッシュメモリ等の不揮発性メモリである。記憶部１３は、制御部１１が車載制御装置１の各構成部の動作を制御することによって、乗員の偏頭痛の症状が緩和するように各種車載機器の動作を制御するための制御プログラムを記憶している。
【００３３】
入力部１４は、受付部２及び偏頭痛検知ＥＣＵ３が接続されたインタフェースである。なお、受付部２及び偏頭痛検知ＥＣＵ３は、通信線を介して通信部１５に接続するように構成しても良い。
【００３４】
受付部２は、音声によって偏頭痛の発症又は予兆を受け付けるための音声検知ＥＣＵ２１と、手動操作によって偏頭痛の発症又は予兆を受け付ける偏頭痛スイッチ２２とを有する。
【００３５】
音声検知ＥＣＵ２１にはマイク２１ａが接続されており、マイク２１ａで集音され、電気信号に変換された音声信号は音声検知ＥＣＵ２１へ入力する。音声検知ＥＣＵ２１は、入力した音声信号をデジタルの音声データにＡＤ変換し、ＡＤ変換された音声データに基づいて音声認識を行い、偏頭痛の発症又は予兆を受け付ける。偏頭痛の発症を示す音声パターンは特に限定されるものでは無いが、特定の言葉を認識して偏頭痛の発症を認識するように音声検知ＥＣＵ２１を構成すると良い。音声検知ＥＣＵ２１は、特定の言葉に対応する音声パターンを記憶しており、マイク２１ａから入力された音声データの音声パターンと、予め記憶している音声パターン、例えば周波数パターンとを比較することによって、乗員が特定の言葉を発したか否かを判定する。音声検知ＥＣＵ２１は、乗員が特定の言葉を発したと判定した場合、偏頭痛の発症又は予兆を受け付けたことを示す受付信号を車載制御装置１へ出力し、該受付信号は入力部１４に入力する。車載制御装置１の制御部１１は、入力部１４に入力した受付信号により、偏頭痛の発症又は予兆を受け付けることができる。
【００３６】
偏頭痛スイッチ２２は、例えば押しボタン式のスイッチであり、偏頭痛スイッチ２２の操作状態に対応した操作信号が、車載制御装置１の入力部１４に入力するように構成されている。車載制御装置１の制御部１１は、入力部１４に入力した操作信号に基づいて、偏頭痛スイッチ２２の操作状態を認識し、偏頭痛の発症又は予兆を受け付けることができる。
【００３７】
偏頭痛検知ＥＣＵ３には、乗員の動画を撮像することができる撮像部３ａが接続されている。撮像部３ａは乗員の顔を撮像できる姿勢で車内に固定されている。撮像部３ａは、所定周期、例えば３０フレーム／秒の周期で乗員を撮像し、撮像して得た画像データを偏頭痛検知ＥＣＵ３に与える。偏頭痛検知ＥＣＵ３は、撮像部３ａが乗員を撮像して得た画像データに基づいて、偏頭痛の発症又は予兆を検知する。偏頭痛検知ＥＣＵ３は、偏頭痛の発症又は予兆を検知した場合、偏頭痛の発症又は予兆を検知したことを示す検知信号を車載制御装置１へ出力し、該検知信号は入力部１４に入力する。車載制御装置１の制御部１１は、入力部１４に入力した検知信号により、偏頭痛の発症又は予兆を検知することができる。乗員の画像データを用いた偏頭痛の発症又は予兆の検知方法は後述する。
なお、撮像部３ａが撮像する乗員は運転手に限定されるものでは無く、助手席又は後部座先の乗員を撮像し、各乗員の偏頭痛又は偏頭痛の予兆を検知するように構成しても良い。
【００３８】
通信部１５は、通信線を介して、車外通信装置４、ナビゲーション装置５、車内灯ＥＣＵ６、オートサンバイザＥＣＵ７及びパワーウィンドＥＣＵ８に接続されている。通信部１５は、ＣＡＮ（Controller Area Network）、ＬＩＮ（Local Interconnect Network）等の通信プロトコルに従って、各ＥＣＵの動作を制御するための情報を送受信する。
【００３９】
車外通信装置４は、無線ＬＡＮ又は公衆無線回線等を用いて車外の通信装置、例えば情報提供装置９と無線通信を行う無線通信機である。無線通信機は、例えば車載ネットワークのゲートウェイに設けられている。車外通信装置４による各種情報の送受信は制御部１１によって制御される。例えば車外通信装置４は、車載制御装置１の通信部１５から出力された制御情報に従って、車両Ｃの位置情報を含み、車両Ｃの現在地周辺であって、車両Ｃを一時的に停車できる場所の位置情報を要求する旨の停車場所要求情報を情報提供装置９へ送信する。
情報提供装置９は、車両Ｃを一時的に停車させることができる停車場所の位置情報を記憶した記憶装置を備える。停車場所は例えば、コンビニエンスストア等の駐車スペースを有する施設、駐車場等である。情報提供装置９は、車外通信装置４から送信された車両Ｃの位置情報及び停車場所要求情報を受信した場合、該車両Ｃの位置情報に基づいて、該車両Ｃの周辺にある停車場所の位置情報を記憶装置から検索し、検索して得た位置情報を車外通信装置４へ送信する。車外通信装置４は、停車場所要求情報の要求を受けて情報提供装置９から送信された停車場所情報を受信し、受信した停車場所情報を車載制御装置１へ送信する。
【００４０】
ナビゲーション装置５は、位置検出部５１、自発光型の表示パネル５２及び音響機器５３を備える。
位置検出部５１は、例えばＧＰＳ（Global Positioning System）受信機である。ＧＰＳ受信機は、ＧＰＳ衛星と共にＧＰＳシステムを構成しており、人工衛星からの電波を受信し、ナビゲーション装置５自身の位置、即ち車両Ｃの位置を特定する。車両Ｃの位置は、例えば緯度及び経度で表される。
表示パネル５２は、液晶パネル、有機ＥＬディスプレイ等の自発光型の表示装置であり、明るさを変更する機能を有する。表示パネル５２には、ナビゲーション装置５に対する操作を受け付けるタッチパネルが設けられている。ナビゲーション装置５は、タッチパネルによって目的地の設定を受け付け、目的地までの経路を探索し、探索して得られた経路を表示パネル５２に表示して、車両Ｃの走行を案内する。
音響機器５３は、音声データが記録された記録媒体から音声データを読み出して再生し、再生された音声データの信号をスピーカ５３ａへ出力することにより、音声を出力する。音響機器５３は、スピーカ５３ａから出力される音声の音量を変更する機能を有する。
またナビゲーション装置５は、通信線を介して車載制御装置１の通信部１５に接続されており、ＣＡＮ又はＬＩＮ通信プロトコルに従って、車載制御装置１と各種情報を送受信する。例えば、ナビゲーション装置５は、車載制御部１１の通信部１５から出力された制御情報に従って、表示パネル５２の明るさを変更し、また音響機器５３の音量を変更する。また、ナビゲーション装置５は、車載制御部１１の通信部１５から出力された制御情報に従って、車両Ｃの位置情報を提供し、車両Ｃの経路案内を実行する機能を有する。
【００４１】
車内灯ＥＣＵ６は、図示しない通信機及び車内灯駆動部を備える。通信機は、通信線を介して車載制御装置１の通信部１５に接続されており、ＣＡＮ又はＬＩＮ通信プロトコルに従って、車載制御装置１から送信された制御情報を受信する。車内灯駆動部には車内灯６ａが接続されており、車内灯ＥＣＵ６は、受信した制御情報に従って駆動部の動作を制御し、車内灯６ａを発光させる。
【００４２】
オートサンバイザＥＣＵ７は、車両Ｃに設けられたオートサンバイザ７ａの動作を制御する制御装置である。オートサンバイザ７ａは、遮光率を変更することが可能な遮光板、該遮光板を支持するフレーム、光センサ、遮光率調整ボタン等を有する。遮光板は例えば液晶パネルである。オートサンバイザ７ａは、光センサの検出結果又は乗員による遮光率調整ボタンの操作に応じて、遮光板の遮光率を変更する。また、オートサンバイザＥＣＵ７は、車載制御装置１から通信線を介して送信された制御情報を受信し、受信した制御情報に基づいてオートサンバイザ７ａの遮光率を制御する。
【００４３】
パワーウィンドＥＣＵ８は、パワーウィンド駆動部８ａの動作を制御することによって、車両Ｃに設けられたウィンドガラスを昇降させる制御装置である。ウィンドガラスはガイドレールに沿って昇降可能に設けられている。ウィンドガラスには、該ウィンドガラスを昇降させるためのワイヤが接続されている。パワーウィンド駆動部８ａは、ワイヤによってウィンドガラスを昇降させるアクチュエータを有し、パワーウィンドＥＣＵ８は該アクチュエータを駆動させることによって、ウィンドガラスを昇降させる。
パワーウィンドＥＣＵ８は、車載制御装置１から通信線を介して送信された制御情報を受信し、受信した制御情報に基づいてパワーウィンド駆動部８ａの動作を制御し、ウィンドガラスを昇降させる。
【００４４】
図３は偏頭痛の緩和に係る処理手順を示すフローチャートである。制御部１１は、偏頭痛スイッチ２２の操作状態を監視しており、該偏頭痛スイッチ２２がオンになったか否かを判定する（ステップＳ１１）。つまり、制御部１１は入力部１４に入力する操作信号に基づいて、偏頭痛スイッチ２２がオンになったか否かを判定する。偏頭痛スイッチ２２がオンでは無いと判定した場合（ステップＳ１１：ＮＯ）、制御部１１は、音声検知ＥＣＵ２１にて偏頭痛の発症又は予兆を受け付けたか否かを判定する（ステップＳ１２）。つまり、制御部１１は、音声検知ＥＣＵ２１から入力部１４に入力する受付信号に基づいて、偏頭痛の発症又は予兆を受け付けたか否かを判定する。
【００４５】
偏頭痛発症の受け付けが無かったと判定した場合（ステップＳ１２：ＮＯ）、制御部１１は、偏頭痛検知ＥＣＵ３にて偏頭痛の発症又は予兆を偏頭痛ＥＣＵにて検知し（ステップＳ１３）、偏頭痛が発症しているか否か、又は偏頭痛の予兆があるか否かを判定する（ステップＳ１４）。つまり、制御部１１は偏頭痛検知ＥＣＵ３から入力部１４に入力した検知信号に基づいて、偏頭痛の発症又は予兆を検知する。偏頭痛検知ＥＣＵ３による偏頭痛の発症又は予兆の検知手順は後述する。
【００４６】
偏頭痛を発症し、又は偏頭痛の予兆があると判定した場合（ステップＳ１４：ＹＥＳ）、ステップＳ１１で偏頭痛スイッチ２２がオンになったと判定した場合（ステップＳ１１：ＹＥＳ）、ステップＳ１２で音声検知ＥＣＵ２１にて偏頭痛の発症又は予兆を受け付けたと判定した場合（ステップＳ１２：ＹＥＳ）、制御部１１は、表示パネル５２の減光制御を行う（ステップＳ１５）。具体的には、制御部１１は、表示パネル５２の明るさを減少させることを指示する制御情報を通信部１５にてナビゲーション装置５へ送信する。ナビゲーション装置５は制御部１１から送信された前記制御情報を受信し、受信した該制御情報に従って表示パネル５２の明るさを低減させる。ステップＳ１５の処理により、乗員が受ける表示パネル５２の光による刺激を低減させることができる。
【００４７】
そして、制御部１１は、車内灯６ａの減光制御を行う（ステップＳ１６）。制御部１１は、車内灯６ａの明るさを減少させることを指示する制御情報を通信部１５にて車内灯ＥＣＵ６へ送信する。車内灯ＥＣＵ６は制御部１１から送信された前記制御情報を受信し、受信した該制御情報に従って車内灯６ａの明るさを低減させる。ステップＳ１６の処理により、乗員が受ける車内灯６ａの光による刺激を低減させることができる。
【００４８】
また、制御部１１は、音響機器５３の音量低減制御を行う（ステップＳ１７）。制御部１１は、スピーカ５３ａの音量を減少させる制御情報を通信部１５にてナビゲーション装置５へ送信する。ナビゲーション装置５は前記制御情報を受信し、受信した該制御情報に従って、音響機器５３の音量を低減させる。ステップＳ１７の処理により、乗員が受ける音による刺激を低減させることができる。
【００４９】
また、制御部１１は、オートサンバイザ７ａの遮光率制御を行う（ステップＳ１８）。制御部１１は、オートサンバイザ７ａの遮光率を上昇させる制御情報を通信部１５にてオートサンバイザＥＣＵ７へ送信する。オートサンバイザＥＣＵ７は、制御部１１から送信された前記制御情報を受信し、受信した該制御情報に従って、オートサンバイザ７ａの遮光率を上昇させる。ステップＳ１８の処理により、乗員が受ける太陽光等の外光による刺激を低減させることができる。
【００５０】
また、制御部１１は、パワーウィンドを閉じる制御を行う（ステップＳ１９）。制御部１１は、パワーウィンドを閉じる制御情報を通信部１５にてパワーウィンドＥＣＵ８へ送信する。パワーウィンドＥＣＵ８は、車載制御装置１から送信された前記制御情報を受信し、受信した該制御情報に従って、パワーウィンド駆動部８ａを駆動させ、パワーウィンドを閉じる。ステップＳ１９の処理によって、車外音を遮断することができる。
【００５１】
また、制御部１１は、車両Ｃを一時停車させることができる停車位置へ車両Ｃを案内する処理を実行し（ステップＳ２０）、処理を終える。
【００５２】
図４は偏頭痛検知に係る処理手順を示すフローチャートである。撮像部３ａは偏頭痛検知ＥＣＵ３の制御により、乗員を撮像する（ステップＳ３１）。次いで、偏頭痛検知ＥＣＵ３は撮像して得た画像から顔画像部分を抽出し、抽出された顔画像部分から目を検出する（ステップＳ３２）。次いで、偏頭痛検知ＥＣＵ３は、乗員が片目の状態にあるか否かを判定する（ステップＳ３３）。片目であると判定した場合（ステップＳ３３：ＹＥＳ）、偏頭痛の発症又は予兆の可能性を数値で表すスコアを所定値加算する（ステップＳ３４）。なお、スコアの値は、車両Ｃの原動機が動作したときに初期値にセットされ、図３及び図４の処理が実行され、ステップＳ３４、ステップＳ３７、ステップＳ４０のスコア加算処理が実行される毎にスコア値が加算される。偏頭痛が発症し又は偏頭痛の予兆がある場合、頭痛又は吐き気等の症状によって乗員は片目をつぶる傾向があるため、乗員が片目をつぶっているかどうかを判定することによって、偏頭痛の発症又は予兆を検知することができる。
【００５３】
ステップＳ３４の処理を終えた場合、又は片目でないと判定した場合（ステップＳ３３：ＮＯ）、偏頭痛検知ＥＣＵ３は、前記顔画像部分から唇を検出する（ステップＳ３５）。例えば、偏頭痛検知ＥＣＵ３は顔画像部分における唇に相当する赤色画像部分を抽出し、赤色画像部分が上下に特定距離以上離れた場合、乗員があくびをしていると判定する。特定距離は、顔画像部分の縦方向の長さに所定の比率を乗算して得られる。
そして、偏頭痛検知ＥＣＵ３は、唇の形状及び位置関係に基づいて、乗員があくびをしているか否かを判定する（ステップＳ３６）。あくびをしていると判定した場合（ステップＳ３６：ＹＥＳ）、制御部１１はスコアを所定値加算する（ステップＳ３７）。乗員があくびを頻繁にしている場合、乗員は疲労しており、偏頭痛を発症する可能性がある。
【００５４】
ステップＳ３７の処理を終えた場合、又はあくびを検出していないと判定した場合（ステップＳ３６：ＮＯ）、偏頭痛検知ＥＣＵ３は、顔画像部分から頭部を検出し（ステップＳ３８）、乗員が頭を手で押さえているか否かを判定する（ステップＳ３９）。例えば、頭痛検知ＥＣＵは、頭部の画像部分に、手に相当する色の画像が存在しているか否かを判定する。乗員が頭部を手で押さえていると判定した場合（ステップＳ３９：ＹＥＳ）、制御部１１はスコアを加算する（ステップＳ４０）。
【００５５】
ステップＳ４０の処理を終えた場合、又は乗員が頭部を手で押さえていないと判定した場合（ステップＳ３９：ＮＯ）、偏頭痛検知ＥＣＵ３は、スコアが所定値以上であるか否かを判定する（ステップＳ４１）。スコアが所定値以上であると判定した場合（ステップＳ４１：ＹＥＳ）、偏頭痛検知ＥＣＵ３は偏頭痛の発症又は予兆があることを示す検知信号を車載制御装置１へ送信し、車載制御装置１の制御部１１は偏頭痛検知ＥＣＵ３から送信された検知信号を受信する（ステップＳ４２）。スコアが所定値未満であると判定した場合（ステップＳ４１：ＮＯ）、偏頭痛検知ＥＣＵ３は偏頭痛の発症及び予兆が無いことを示す信号を車載制御装置１へ送信し、車載制御装置１の制御部１１は偏頭痛検知ＥＣＵ３から送信された信号を受信する（ステップＳ４３）。
車載制御装置１は、上述の処理により、偏頭痛の発症又は予兆を検知することができる。
【００５６】
図５は停車位置の案内に係る処理手順を示すフローチャートである。制御部１１は、車両Ｃの位置を検出する（ステップＳ５１）。具体的には制御部１１はカーナビゲーション装置５に車両Ｃの位置情報を要求し、要求に応じてカーナビゲーション装置５から送信された位置情報を受信する。
【００５７】
そして、制御部１１は、車両Ｃを一時的に停車することができる停車場所の位置情報を要求する停車場所要求情報を、ステップＳ５１で検出された車両Ｃの位置情報と共に情報提供装置９へ送信する（ステップＳ５２）。
情報提供装置９は、停車場所要求情報を受信した場合、車両Ｃの位置情報に基づいて、車両Ｃの現在地から所定距離以内に存在する停車場所の位置情報を検索し、検索して得た位置情報を、停車場所要求情報の送信元へ送信する。
【００５８】
次いで、制御部１１は、情報提供装置９から送信された停車場所の位置情報を受信する（ステップＳ５３）。停車場所の位置情報を受信した制御部１１は、停車場所の位置情報をカーナビゲーション装置５へ送信し、前記停車場所への経路案内をカーナビゲーション装置５に実行させ（ステップＳ５４）、処理を終える。なお、本実施形態では、停車場所へ車両Ｃを案内する例を説明したが、自動走行制御装置を搭載した車両Ｃの場合、車両Ｃを停車場所へ自動的に走行させるように構成しても良い。
【００５９】
このように構成された偏頭痛緩和システム及び車載制御装置１によれば、偏頭痛の発症又は予兆を受け付けた場合、偏頭痛の症状を悪化させるおそれがある各種車載機器を制御することにより、車両Ｃの乗員が受ける光及び音の刺激を低減させ、偏頭痛を緩和させることができる。また、偏頭痛の予兆がある乗員が受ける光及び音の刺激を低減させることにより、偏頭痛を予防することが可能である。
【００６０】
具体的には、車載制御装置１は、車内灯６ａの明るさを低減させることにより、乗員が受ける車内灯６ａの光による刺激を低減させ、偏頭痛を緩和させ又は予防することができる。
【００６１】
また、車載制御装置１は、ナビゲーション装置５の表示パネル５２の明るさを低減させることにより、乗員が受ける表示パネル５２の光による刺激を低減させ、偏頭痛を緩和させ又は予防することができる。
【００６２】
更に、車載制御装置１は、ナビゲーション装置５の音響機器５３の音量を下げることにより、乗員が受ける音による刺激を低減させ、偏頭痛を緩和させ又は予防することができる。
【００６３】
更にまた、車載制御装置１は、オートサンバイザ７ａの遮光率を上昇させることにより、乗員が受ける太陽光等の外光による刺激を低減させ、偏頭痛を緩和させ又は予防することが可能である。
【００６４】
更にまた、車載制御装置１は、パワーウィンドを開状態にすることにより、乗員が受ける車外音による刺激を低減させ、偏頭痛を緩和させ又は予防することが可能である。
【００６５】
更にまた、車載制御装置１は、偏頭痛の発症を偏頭痛スイッチ２２又はマイク２１ａにて受け付けるため、乗員による車両Ｃの運転を妨げること無く、偏頭痛を緩和させ又は予防するための動作を本願の車載制御装置１に与えることができる。
【００６６】
更にまた、車載制御装置１は、撮像部３ａにて乗員を撮像し、撮像して得た乗員の画像にて偏頭痛の発症又は予兆を検知する。車載制御装置１は、乗員の画像にて偏頭痛の発症又は予兆を検知した場合、偏頭痛を緩和又は予防するための処理を実行する構成であるため、乗員は、車載制御装置１を操作せずとも、また偏頭痛の発症を意識すること無く、偏頭痛を緩和させ又は予防することができる。
【００６７】
更にまた、車載制御装置１は、偏頭痛の発症又は予兆を受け付け、又は検知した場合、ナビゲーション装置５を用いて、車両Ｃを一時停車可能な停車場所へ経路案内することができる。従って、偏頭痛を発症した乗員は車両Ｃを一時停車させて休息を取ることができる。
【符号の説明】
【００６８】
１  車載制御装置
２  受付部
３  偏頭痛検知ＥＣＵ
３ａ  撮像部
４  車外通信装置
５  ナビゲーション装置
６  車内灯ＥＣＵ
６ａ  車内灯
７  オートサンバイザＥＣＵ
７ａ  サンバイザ
８  パワーウィンドＥＣＵ
８ａ  パワーウィンド駆動部
９  情報提供装置
１１  制御部
１２  一時記憶部
１３  記憶部
１４  入力部
１５  通信部
２１  音声検知ＥＣＵ
２１ａ  マイク
２２  偏頭痛スイッチ
５１  位置検出部
５２  表示パネル
５３  音響機器
５３ａ  スピーカ
Ｃ  車両
【図１】
2016057200.tif 000003
【図２】
2016057200.tif 000004
【図３】
2016057200.tif 000005
【図４】
2016057200.tif 000006
【図５】
2016057200.tif 000007